(57)【特許請求の範囲】
【請求項１】
一対の縦枠材のうちの一方の縦枠材の一側面に、上下方向に間隔を空けて、それぞれが両縦枠材と同厚さとされた複数本の横桟材を略水平方向に突出させて設けた第１枠部材と、
前記一方の縦枠材の一側面に対向配置される他方の縦枠材の一側面に、前記第１枠部材の複数本の横桟材と上下方向でずれた位置となるように、上下方向に間隔を空けて、それぞれが両縦枠材と同厚さとされた複数本の横桟材を略水平方向に突出させて設けた第２枠部材と、を備えており、
前記第１枠部材及び前記第２枠部材のうちの一方の最上段に位置する横桟材は、前記縦枠材の一側面の上端部から突出するように設けられ、前記第１枠部材及び前記第２枠部材のうちの他方の最下段に位置する横桟材は、前記縦枠材の一側面の下端部から突出するように設けられており、
前記第１枠部材及び前記第２枠部材の横桟材同士の少なくとも一部が上下で重合するように配置された状態で、これら第１枠部材及び第２枠部材の表裏のそれぞれに面材が固定されることを特徴とする下地枠体。
【請求項２】
請求項１に記載の下地枠体において、
前記第１枠部材及び前記第２枠部材の横桟材同士の少なくとも一部が上下で重合するように配置された状態で、互いに隣接する第１枠部材の横桟材と第２枠部材の横桟材とが上下に当接するように、これら第１枠部材及び第２枠部材の各横桟材が設けられていることを特徴とする下地枠体。
【請求項３】
請求項１または２に記載の下地枠体において、
前記第１枠部材及び前記第２枠部材の各縦枠材及び各横桟材は、単板積層材から形成されていることを特徴とする下地枠体。
【請求項４】
請求項１乃至３のいずれか１項に記載の下地枠体を、引戸を納める袖壁の下地として用いた袖壁構造であって、
前記第１枠部材及び前記第２枠部材を、互いの縦枠材の間隔を袖壁の幅寸法に応じて調整し、かつ、これら第１枠部材及び第２枠部材の表裏のそれぞれに前記面材としての石膏ボードを固定したことを特徴とする袖壁構造。
【発明の詳細な説明】
【技術分野】
【０００１】
本発明は、壁体乃至は扉体の下地として用いられる下地枠体及びこれを用いた袖壁構造に関する。
【背景技術】
【０００２】
従来より、住居等の建物の袖壁や間仕切壁等の壁体、引戸や開き戸等の扉体としては、枠材や桟材等を枠組み（軸組み）して枠体（芯材）を形成し、その表裏に面材を固定して形成される構造とされたものが知られている。このような壁体や扉体は、壁幅寸法や戸幅寸法が一定ではなく、適宜の幅寸法に枠体を形成し、その表裏に面材を固定することで形成されることが多く、特に、壁体は、施工現場等において幅調整を行う必要があるため、施工性等の観点から改善が望まれていた。
【０００３】
例えば、下記特許文献１では、建築物の引戸を収納する引戸用小壁の施工方法が提案されている。
この施工方法では、矩形状に予め組み立てられた軸組を、開口枠体の中方立に当接させて開口部に固定する。次いで、軸組と同一の厚みとされた縦軸を、引戸の移動する左右方向に軸組に並べて開口枠体の外枠材に当接させて開口部に固定する。そして、これら左右方向に沿って並べられた軸組と縦軸の表面及び裏面にボードを貼り付けて引戸用小壁を施工する態様とされている。これによれば、施工される引戸用小壁の左右方向の長さが様々の種類であっても、使用される軸組と縦軸は一種類でよいため、施工現場で小壁の長さに合わせて軸組を製作する必要がない、と記載されている。
【０００４】
また、下記特許文献２では、玄関等の袖壁を外壁パネル厚より厚くするため、外壁パネルに沿って一体となるよう配設される増壁が提案されている。
この増壁は、予め定めた所要の大きさを有する金属製の増壁フレームの外周を構成する４つの外周枠片のそれぞれを、中間部に長ボルト、ターンバックル等の調整部材を取り付けた構造としている。また、この外周枠片の内側に交差するように設けられる補助用の縦枠及び横枠を中間部に摺動部を設けた分割構造としている。これによれば、フレームの縦横方向の寸法調整が容易に可能となる、と記載されている。
【先行技術文献】
【特許文献】
【０００５】
【特許文献１】特開２００５−２２６３１３号公報
【特許文献２】特開平５−３３４１１号公報
【発明の概要】
【発明が解決しようとする課題】
【０００６】
しかしながら、上記特許文献１に記載された小壁では、左右方向に沿って並べられる軸組と縦軸との間が中空となるため、強度上の観点から更なる改善が望まれていた。
また、上記特許文献２に記載された増壁では、外周枠片の中間部に長ボルト、ターンバックル等の調整部材を設けた構造とされており、構造が複雑化するという問題があった。
【０００７】
本発明は、上記実情に鑑みてなされたものであり、簡易な構造でありながらも壁体乃至は扉体の幅寸法の違いに容易に対応し得るとともに強度を向上し得る下地枠体及びこれを用いた袖壁構造を提供することを目的としている。
【課題を解決するための手段】
【０００８】
上記目的を達成するために、本発明に係る下地枠体は、一対の縦枠材のうちの一方の縦枠材の一側面に、上下方向に間隔を空けて、それぞれが両縦枠材と同厚さとされた複数本の横桟材を略水平方向に突出させて設けた第１枠部材と、前記一方の縦枠材の一側面に対向配置される他方の縦枠材の一側面に、前記第１枠部材の複数本の横桟材と上下方向でずれた位置となるように、上下方向に間隔を空けて、それぞれが両縦枠材と同厚さとされた複数本の横桟材を略水平方向に突出させて設けた第２枠部材と、を備えており、前記第１枠部材及び前記第２枠部材のうちの一方の最上段に位置する横桟材は、前記縦枠材の一側面の上端部から突出するように設けられ、前記第１枠部材及び前記第２枠部材のうちの他方の最下段に位置する横桟材は、前記縦枠材の一側面の下端部から突出するように設けられており、前記第１枠部材及び前記第２枠部材の横桟材同士の少なくとも一部が上下で重合するように配置された状態で、これら第１枠部材及び第２枠部材の表裏のそれぞれに面材が固定されることを特徴とする。
【０００９】
本発明においては、前記第１枠部材及び前記第２枠部材の横桟材同士の少なくとも一部が上下で重合するように配置された状態で、互いに隣接する第１枠部材の横桟材と第２枠部材の横桟材とが上下に当接するように、これら第１枠部材及び第２枠部材の各横桟材を設けるようにしてもよい。
また、本発明においては、前記第１枠部材及び前記第２枠部材の各縦枠材及び各横桟材を、単板積層材から形成されたものとしてもよい。
【００１０】
また、上記目的を達成するために、本発明に係る袖壁構造は、本発明に係る下地枠体を、引戸を納める袖壁の下地として用いた袖壁構造であって、前記第１枠部材及び前記第２枠部材を、互いの縦枠材の間隔を袖壁の幅寸法に応じて調整し、かつ、これら第１枠部材及び第２枠部材の表裏のそれぞれに前記面材としての石膏ボードを固定したことを特徴とする。
【発明の効果】
【００１１】
本発明に係る下地枠体及びこれを用いた袖壁構造は、上述のような構成としたことで、簡易な構造でありながらも壁体乃至は扉体の幅寸法の違いに容易に対応することができるとともに強度を向上させることができる。
【図面の簡単な説明】
【００１２】
【図１】（ａ）、（ｂ）は、いずれも本発明の一実施形態に係る下地枠体の一例を模式的に示し、（ａ）は、同下地枠体の組み付け前の状態を示す概略斜視図、（ｂ）は、同下地枠体を組み付けた状態を示す概略斜視図である。
【図２】（ａ）は、同下地枠体とその表裏に固定される面材の一例とを模式的に示す概略斜視図、（ｂ）は、同下地枠体の表裏のそれぞれに面材を固定した状態を示す概略斜視図である。
【図３】（ａ）、（ｂ）は、いずれも同下地枠体を用いた本発明の一実施形態に係る袖壁構造の一例を模式的に示し、（ａ）は、一部破断概略正面図、（ｂ）は、（ａ）におけるＸ−Ｘ線矢視に対応させた一部破断概略横断面図である。
【図４】（ａ）、（ｂ）は、いずれも同袖壁構造の施工手順の一例を模式的に示し、（ａ）は、図３（ｂ）に対応させた一部破断概略横断面図、（ｂ）は、一部破断概略正面図である。
【発明を実施するための形態】
【００１３】
以下に本発明の実施の形態について、図面に基づいて説明する。
図１〜図４は、本実施形態に係る下地枠体及びこれを用いた袖壁構造の一例について説明するための概念的な説明図である。
なお、一部の図では、他図に付している詳細な符号の一部を省略している。
また、以下の実施形態では、図３（ｂ）に示すＹ方向から見た状態を基準として、図３（ｂ）における上側を背面側、下側を手前側として、その方向等を原則的に説明する。
【００１４】
本実施形態に係る下地枠体１は、図１に示すように、一対の縦枠材１２，１５を備え、これらのうちの一方の縦枠材１２を備えた第１枠部材１１と、他方の縦枠材１５を備えた第２枠部材１４と、を備えている。
これら第１枠部材１１及び第２枠部材１４の各縦枠材１２，１５は、上下に長尺の角材状とされ、高さ寸法及び厚さ寸法が同寸法とされており、本実施形態では、幅寸法も同寸法とされている。
【００１５】
第１枠部材１１の縦枠材１２の一側面１２ａには、上下方向に間隔を空けて、複数本（図例では、４本）の横桟材１３が略水平方向に突出して設けられている。
この第１枠部材１１の縦枠材１２の一側面１２ａに対向配置される第２枠部材１４の縦枠材１５の一側面１５ａには、上下方向に間隔を空けて、複数本（図例では、４本）の横桟材１６が略水平方向に突出して設けられている。この第２枠部材１４の各横桟材１６は、図１（ｂ）に示すように、各枠部材１１，１４のそれぞれの縦枠材１２，１５の一側面１２ａ，１５ａ同士を対向させた状態で、第１枠部材１１の複数本の横桟材１３と上下方向でずれた位置となるように設けられている。
【００１６】
つまり、当該下地枠体１の幅方向（左右方向）に間隔を空けて配設される一対の縦枠材１２，１５のそれぞれの一側面（内側面）１２ａ，１５ａにおいて、各枠部材１１，１４の複数本の横桟材１３，１６が上下方向に異なる高さ位置となるように設けられている。本実施形態では、各枠部材１１，１４のそれぞれの縦枠材１２，１５の内側面１２ａ，１５ａ同士を対向させた状態で、各枠部材１１，１４の横桟材１３，１６が上下方向に交互に配置されるように各横桟材１３，１６を設けている。なお、各枠部材１１，１４の各縦枠材１２，１５と各横桟材１３，１６とは、釘やねじ、タッカー等の固定止具乃至は接着剤等の固定連結手段で固定連結するようにしてもよい。
【００１７】
これら第１枠部材１１及び第２枠部材１４の各横桟材１３，１６は、左右に長尺の角材状とされ、それぞれの厚さ寸法が両縦枠材１２，１５の厚さ寸法と同寸法とされている。また、本実施形態では、各横桟材１３，１６は、それぞれの長さ寸法（左右寸法）及び幅寸法（上下寸法）が同寸法とされている。
また、本実施形態では、図１（ａ）に示すように、これら第１枠部材１１及び第２枠部材１４のそれぞれを、同寸同形状としている。つまり、各枠部材１１，１４の各縦枠材１２，１５の各一側面１２ａ，１５ａが同じ方向に向くようにこれら各縦枠材１２，１５を厚さ方向に一致させた状態において、各枠部材１１，１４の各横桟材１３，１６同士が厚さ方向に一致する構成とされている。これによれば、当該下地枠体１を構成する第１枠部材１１及び第２枠部材１４を同一部材とでき、各枠部材１１，１４を予め工場等において形成する際の組み付け工程乃至はラインを簡素化でき、また、取り扱い性を向上させることができる。なお、これら枠部材１１，１４からなる下地枠体１を組み付ける際には、図１（ｂ）に示すように、これら枠部材１１，１４のうちの一方（図例では、第２枠部材１４）を、当該下地枠体１の厚さ方向に沿う水平軸廻りに１８０度回転させて配置し、組み付けられる。
【００１８】
これら第１枠部材１１と第２枠部材１４とは、図１（ｂ）及び図２に示すように、各枠部材１１，１４の横桟材１３，１６同士の少なくとも一部が上下で重合するように配置されて、壁体乃至は扉体の下地（芯材）１０となる。また、これら第１枠部材１１及び第２枠部材１４からなる下地１０の表裏１０ａ，１０ｂのそれぞれに面材１７，１８が固定され、壁体乃至は扉体が形成される。
また、本実施形態では、各枠部材１１，１４の横桟材１３，１６同士の少なくとも一部が上下で重合するように配置された状態で、互いに隣接する第１枠部材１１の横桟材１３と第２枠部材１４の横桟材１６とが上下に当接する構成としている。つまり、互いに隣接して向き合う第１枠部材１１の横桟材１３の一側面（上側面）１３ａと第２枠部材１４の横桟材１６の一側面（下側面）１６ａとが当接するように、これら第１枠部材１１及び第２枠部材１４のそれぞれに、各横桟材１３，１６を設けている。
【００１９】
上記のように互いに隣接する第１枠部材１１の横桟材１３と第２枠部材１４の横桟材１６とが上下に当接する構成とすることで、互いに当接する横桟材１３，１６同士を上記同様の固定連結手段で固定連結することができる。これにより、当該下地枠体１の強度を向上させることができ、当該下地枠体１を用いて形成される壁体乃至は扉体の強度をより向上させることができる。また、第１枠部材１１及び第２枠部材１４の横桟材１３，１６同士を固定連結して組み付けた状態で、壁体の下地として建て付けることも可能となり、施工性を向上させることができる。または、第１枠部材１１及び第２枠部材１４の横桟材１３，１６同士を固定連結して組み付けた状態で、その表裏１０ａ，１０ｂに面材１７，１８を固定することができ、施工性乃至は組み付け性を向上させることができる。
【００２０】
また、本実施形態では、第１枠部材１１及び第２枠部材１４のうちの一方（図例では、第２枠部材１４）の最上段に位置する横桟材１６を、縦枠材１５の内側面１５ａの上端部１５ｂから突出するように設けている。つまり、第２枠部材１４の複数本の横桟材１６のうちの最上段の横桟材１６の上側面と縦枠材１５の上端面とが略同一平面状となるように、最上段の横桟材１６を、縦枠材１５の上端部に固定連結している。
また、他方（図例では、第１枠部材１１）の最下段に位置する横桟材１３を、縦枠材１２の内側面１２ａの下端部１２ｂから突出するように設けている。つまり、第１枠部材１１の複数本の横桟材１３のうちの最下段の横桟材１３の下側面と縦枠材１２の下端面とが略同一平面状となるように、最下段の横桟材１３を、縦枠材１２の下端部に固定連結している。
【００２１】
上記のような構成とすることで、当該下地枠体１の上端部及び下端部のそれぞれにいずれかの枠部材１１，１４の横桟材１３，１６が位置することとなるため、当該下地枠体１の上端部及び下端部における強度を向上させることができる。
また、当該下地枠体１が壁体の下地として設置されるような場合には、上端部及び下端部に位置する横桟材１３，１６を、廻り縁や巾木等の固定下地として利用することができ、固定下地を別途、配設するような場合と比べて、施工性を向上させることができる。
【００２２】
なお、本実施形態では、互いに隣接する第１枠部材１１の横桟材１３と第２枠部材１４の横桟材１６とが上下に当接する構成としている。従って、第１枠部材１１の最上段に位置する横桟材１３は、その上側面１３ａから縦枠材１２の上端面までの寸法が第２枠部材１４の最上段の横桟材１６の上下寸法と同寸法となるように縦枠材１２の上端面から下方側に控えた位置に設けられている。また、第２枠部材１４の最下段に位置する横桟材１６は、その下側面１６ａから縦枠材１５の下端面までの寸法が第１枠部材１１の最下段の横桟材１３の上下寸法と同寸法となるように縦枠材１５の下端面から上方側に控えた位置に設けられている。
【００２３】
これら各枠部材１１，１４を構成する各縦枠材１２，１５及び各横桟材１３，１６は、木質系材料から形成されたものとしてもよい。木質系材料としては、合板やＬＶＬ（単板積層材）等の木質積層板、パーティクルボード等の木質ボード、またはインシュレーションボードやＭＤＦ（中密度繊維板）等の木質繊維板などを採用するようにしてもよい。
本実施形態では、各縦枠材１２，１５及び各横桟材１３，１６は、繊維方向を長手方向に沿わせたＬＶＬを角材状に加工して形成されている。このように、当該下地枠体１の各縦枠材１２，１５及び各横桟材１３，１６を、ＬＶＬから形成しているので、寸法安定性に比較的に優れ、強度ばらつきが比較的に少なくなるため、壁体や扉体の下地乃至は芯材として好適なものとなる。
なお、各縦枠材１２，１５及び各横桟材１３，１６は、上記した木質系材料以外のものから形成するようにしてもよい。例えば、合成樹脂系材料に、木粉や無機フィラー、相溶化剤、着色剤などを所定の含有割合で含有させた木粉（木質）・プラスチック複合材（ＷＰＣ）や、その他の合成樹脂系材料、金属系材料等から形成されたものとしてもよい。
【００２４】
次に、上記構成とされた下地枠体１を用いて壁体乃至は扉体を形成する組み付け手順の一例について説明する。
まず、図１（ｂ）に示すように、各枠部材１１，１４の縦枠材１２，１５を当該下地枠体１の幅方向に間隔を空けて対向させ、各枠部材１１，１４の横桟材１３，１６同士の少なくとも一部が上下で重合するように配置し、壁下地乃至は扉芯材となる下地１０を形成する。この際、当該下地枠体１（下地１０）の幅寸法が、当該下地枠体１を用いて形成される壁体乃至は扉体の幅寸法に応じた寸法となるように、互いの縦枠材１２，１５の間隔を調整する。また、このように幅調整した後、本実施形態では、互いに隣接する第１枠部材１１の横桟材１３と第２枠部材１４の横桟材１６とが上下に当接する構成としているので、当接する横桟材１３，１６同士を上記固定連結手段で固定連結するようにしてもよい。
【００２５】
次いで、図２（ａ）、（ｂ）に示すように、各枠部材１１，１４の縦枠材１２，１５及び横桟材１３，１６の表面及び裏面によって構成される下地１０の表面１０ａ及び裏面１０ｂのそれぞれに面材１７，１８を固定し、壁体（乃至は扉体）１９が形成される。これら表裏の面材１７，１８の下地１０への固定は、上記同様の固定止具や接着剤等によって固定するようにしてもよい。
【００２６】
なお、面材１７，１８としては、無垢材や上記同様の木質系材料、無機質系材料、合成樹脂系材料等を板状に加工したものとしてもよい。また、それぞれの外側表面に、合成樹脂化粧シートや化粧紙、クロス等の化粧シートまたは突板等の表面化粧材を貼着するようにしてもよい。また、当該下地枠体１を、壁体の下地１０として用いる場合には、これら面材１７，１８を、石膏ボードからなるものとしてもよい。また、当該下地枠体１を用いて形成される壁体としては、後記する袖壁体に限られず、施工現場等において幅調整が必要となる間仕切壁等の他の壁体としてもよい。また、当該下地枠体１を用いて形成される扉体としては、引戸や開き戸、折戸等、開口幅に応じた戸幅寸法とする必要のある扉体（建具）としてもよい。また、当該下地枠体１を用いて形成される壁体乃至は扉体の高さ寸法に応じて、各縦枠材１２，１５の長さ寸法を適宜、設定するようにしてもよい。また、各横桟材１３，１６の長さ寸法を、壁体乃至は扉体の幅調整に対応可能なように、壁体乃至は扉体の必要となる調整幅（調整度合い）に応じて適宜設定しておくようにしてもよい。
【００２７】
上記構成とされた本実施形態に係る下地枠体１によれば、簡易な構造でありながらも壁体乃至は扉体の幅寸法の違いに容易に対応することができるとともに強度を向上させることができる。
つまり、それぞれに横桟材１３，１６を設けた第１枠部材１１及び第２枠部材１４の互いの縦枠材１２，１５の間隔を調整することで、当該下地枠体１を用いて形成される壁体乃至は扉体の幅寸法の違いに容易に対応することができる。つまりは、各枠部材１１，１４の縦枠材１２，１５に上下に間隔を空けて複数本の横桟材１３，１６を設けた極めて簡易な構造でありながらも、当該下地枠体１を用いて形成される壁体乃至は扉体の幅寸法の違いに容易に対応することができる。
また、各枠部材１１，１４の横桟材１３，１６同士の少なくとも一部が上下で重合するように配置されて、これら枠部材１１，１４の縦枠材１２，１５間に複数本の横桟材１３，１６が上下に配設されることとなるため、縦枠材１２，１５間の強度を向上させることができる。これにより、当該下地枠体１を用いて形成される壁体乃至は扉体の強度を向上させることができる。
【００２８】
次に、本実施形態に係る下地枠体１を用いた袖壁構造の一例について、図３及び図４に基づいて説明する。
本実施形態では、下地枠体１を、図３に示すように、建物内に設けられた開口部４に、引戸３が引き込まれる袖壁の下地（袖壁下地）１０として配設した例を示している。図例では、一枚からなる片引き式の引戸３を納める袖壁の袖壁下地１０として配設した例を示している。
【００２９】
開口部４は、柱材や間柱、横桟（まぐさ）、飼木、床下地（乃至は床面）などの枠下地５によって正面視して略矩形状に形成されている（図４も参照）。
この開口部４の内周面に沿うようにして、引戸３を建て付ける戸枠２が配設される。
開口部４の開口幅は、図３（ｂ）に示すように、開口部４に配設された戸枠２に建て付けられる引戸３が開閉自在にスライドし得るように引戸３の戸幅及び戸枠２の厚さ（引戸３の戸幅と同方向に沿う厚さ）に応じて形成される。つまり、本実施形態のように袖壁納めで施工される片引き式の引戸３を例にすれば、開口部４の開口幅は、当該引戸３の戸幅の略２倍程度の幅寸法とされる。
【００３０】
戸枠２は、図例では、一対の縦枠２１，２２（戸先側縦枠２１及び戸尻側縦枠２２）と、これら縦枠２１，２２の上端部間に架設された上枠（鴨居）２０と、これら縦枠２１，２２間の略中間部に設けられた中間縦枠（中方立）２３とを備えている（図４も参照）。
上枠２０は、その下面側に、引戸３のスライド移動を案内する上吊レールや案内溝を長手方向に沿って有している。また、この上枠２０は、戸先側が、開口部４の戸先側に形成される内壁７の壁厚に対応させて幅広部とされ、戸尻側が、下地枠体１を用いて形成される後記する袖壁体１９の壁厚を加味して上記幅広部よりも幅の狭い幅狭部とされている。また、この上枠２０の幅広部と幅狭部とを区切る長手方向略中央部には、中方立２３の上端部が係合する切欠部が形成されている。
【００３１】
戸先側縦枠２１は、上枠２０の上記幅広部に応じた幅寸法（壁厚方向の幅寸法、見込み方向の寸法）とされ、開口部４の戸先側の内側面に沿うように上下方向に沿って配設される。
戸尻側縦枠２２は、上枠２０の上記幅狭部に応じた幅寸法（壁厚方向の幅寸法）とされ、開口部４の戸尻側（袖壁側）の内側面に沿うように上下方向に沿って配設される（図３も参照）。これら戸先側縦枠２１及び戸尻側縦枠２２には、引戸３の戸先側端部乃至は戸尻側端部を受け入れる戸じゃくり溝が上下方向に沿って形成されている。
中方立２３は、開口部４の略中間位置において上下方向に沿って配設され、その壁厚方向に沿う幅寸法が、下地枠体１を用いて形成される袖壁体１９の壁厚に応じた幅寸法とされている。この中方立２３の壁厚方向背面側端面には、引戸３の手前側表面３ａに摺接する隙間遮蔽部材（モヘア部材）が上下方向に沿って添設されている。
【００３２】
上記構成とされた戸枠２は、上枠２０の長手方向の各端面を、各縦枠２１，２２の上端部内側面に突き合わせ、これら縦枠２１，２２の上端部の外側面から木ねじ等の固定止具を螺入して、上枠２０と各縦枠２１，２２とを連結するようにしてもよい。また、上枠２０の上記切欠部に中方立２３の上端部を係合させ、木ねじ等の固定止具を螺入して中方立２３を上枠２０に連結して、戸枠２を組み付けるようにしてもよい。
また、このように組み付けられた戸枠２は、図４に示すように、開口部４の内周面に沿わせるようにして固定される。図例では、開口部４の内周天面を構成するまぐさや横桟などの枠下地５に沿わせるようにして上枠２０を固定し、開口部４の内周両側面を構成する柱材などの枠下地５，５に沿わせるようにして一対の縦枠２１，２２を固定した例を示している。また、これら上枠２０及び一対の縦枠２１，２２は、各枠下地５に対して飼木などのスペーサー材６を介して固定された例を示している。
また、中方立２３の下端部は、床下地（乃至は床材）などの枠下地５に固定するようにしてもよい。
【００３３】
引戸３は、上記構成とされた戸枠２にスライド自在に建て付けられる。本実施形態では、当該引戸３の上端部の両側端部にランナー部材３ｂ，３ｂを連結固定し、これらランナー部材３ｂ，３ｂを引戸３の戸幅方向に沿って走行自在に支持する走行案内部としての上吊レールを上枠２０に設け、上吊式で開閉される構成とされている。なお、図示を省略しているが、床面には、引戸３のスライド移動をガイドするガイドピンが固定され、引戸３の下端面には、このガイドピンを受け入れる凹溝が形成されている。
なお、戸枠２としては、図例のように下枠を備えない上吊式の戸枠（三方枠）に限られず、引戸の下端部に戸車を設け、この戸車をガイドするレールを備えた下枠を更に備えた戸枠（四方枠）としてもよい。また、図例のような固定枠に限られず、ケーシング額縁を備えたいわゆるケーシング枠を戸枠として採用するようにしてもよい。
【００３４】
袖壁下地１０は、上記した第１枠部材１１及び第２枠部材１４のそれぞれを予め工場において組み付けておき、施工現場において袖壁の幅寸法Ｗ（図４（ａ）参照）に応じた寸法となるように幅調整してこれら各枠部材１１，１４を組み付けて形成するようにしてもよい。
また、本実施形態では、袖壁下地１０の表面（手前面）１０ａ及び裏面（背面）１０ｂのそれぞれに面材としての石膏ボード１７，１８を固定して袖壁となる袖壁体１９を形成し、この袖壁体１９を開口部４に配設した例を示している。この袖壁体１９は、開口部４の戸尻側の内側面から戸先側に向けて突出するように配設され、背面側の面材１８に、引き込まれた状態の引戸３の手前側表面３ａが対面するように配設される。
【００３５】
この袖壁体１９を形成する下地枠体１の各枠部材１１，１４は、互いの横桟材１３，１６同士の少なくとも一部が上下で重合するように配置された状態で、一般的な汎用の各種の引戸の戸幅に対応可能なように形成されている。例えば、互いの横桟材１３，１６同士の長手方向の重なり度合いが比較的に小さい状態（例えば、数ｃｍ程度の重なり度合いの状態）で、汎用の最大幅の引戸に対応可能なように、これら横桟材１３，１６を形成しておくようにしてもよい。また、互いの横桟材１３，１６同士の長手方向の全体が上下に略一致するように重合した状態で、汎用の最小幅の引戸に対応可能なように、これら横桟材１３，１６を形成しておくようにしてもよい。
【００３６】
本実施形態では、袖壁体１９の幅寸法を、開口部４の袖壁側（戸尻側）の枠下地５の内側面から中方立２３の袖壁側側面までの幅寸法と略同寸法としている。つまり、本実施形態では、袖壁体１９の一側端面１９ａが、中方立２３の袖壁側側面に当接し、袖壁体１９の他側端面１９ｂが開口部４の袖壁側枠下地内側面に当接するように、袖壁体１９の幅寸法を設定した例を示している。なお、袖壁側枠下地内側面としては、柱材等の枠下地の袖壁側内側面に限られず、飼木等のスペーサー材を枠下地として把握し、これの袖壁側内側面を、袖壁側枠下地内側面として把握するようにしてもよい。
【００３７】
また、この袖壁体１９の厚さ寸法は、当該袖壁体１９によって形成する袖壁の壁厚に応じた厚さ寸法とされる。この袖壁の厚さ寸法は、建物内の内壁７自体の壁厚に応じて設定され、それに応じて袖壁下地１０（下地枠体１）の厚さ寸法を、表裏１０ａ，１０ｂに固定される石膏ボード１７，１８の厚さを加味して設定するようにすればよい。つまりは、一般的な壁厚に応じて規定される袖壁の厚さ寸法に応じた寸法となるように、その表裏に固定される石膏ボード１７，１８の厚さ寸法を加味して、袖壁下地１０（下地枠体１）の厚さ寸法を設定するようにしてもよい。
本実施形態では、袖壁下地１０とその裏面１０ｂに固定された石膏ボード１８とを合わせた厚さ寸法を、図３（ｂ）に示すように、開口部４に固定された戸尻側縦枠２２の壁厚方向手前側端面から枠下地（内壁の下地ともなる下地）５の手前側表面までの壁厚方向の寸法と略同寸法としている。つまりは、袖壁下地１０の裏面１０ｂに固定された石膏ボード１８の表面を戸尻側縦枠２２の壁厚方向手前側端面に当接させた状態で、この袖壁下地１０の手前側の表面１０ａが枠下地５の手前側表面と略同一平面状となるように形成されている。
【００３８】
次に、本実施形態に係る袖壁構造の施工手順の一例について説明する。
まず、上述したように、組み付けた戸枠２を、図４（ａ）に示すように、開口部４に固定する（図４（ｂ）も参照）。
次いで、袖壁の幅寸法Ｗに応じた寸法となるように幅寸法を調整して組み付けた袖壁下地１０の表裏１０ａ，１０ｂに、必要に応じて寸法調整した石膏ボード１７，１８を固定し、袖壁体１９を形成する。そして、この袖壁体１９を、開口部４の手前側から、開口部４の袖壁側枠下地内側面と、中方立２３の袖壁側側面とによって幅方向が区画された開口部４内に嵌め込むようにして開口部４内に配置する。また、袖壁体１９の幅方向の各端部を、戸尻側縦枠２２及び中方立２３のそれぞれに当接させて、当該袖壁体１９を開口部４に固定する。
なお、この袖壁体１９の開口部４への固定は、戸枠２及び枠下地５の両方または一方に対して、上記同様の固定止具を用いて固定するようにしてもよい。
【００３９】
また、開口部４の周囲の壁下地に、内壁７を形成する石膏ボード等の壁面材８を固定する（図３（ｂ）参照）。このように壁面材８を固定した状態では、袖壁体１９の表面側の石膏ボード１７と、これに隣接する壁面材８とが、連なるように略面一状となる。そして、必要に応じて、袖壁体１９の手前面及び背面並びに各壁面材８の表面に壁クロス等の表面化粧材を貼着するようにしてもよい。この状態では、図３に示すように、開口部４の戸尻側には、引戸３のスライドスペース（走行スペース）の手前側に位置するように、袖壁が形成される。一方、開口部４の戸先側には、引戸３によって開閉される出入り口としての開口が形成される。そして、適宜、引戸３を、戸枠２に対して建て付けることで、袖壁納めの引戸構造となる。
また、図３に示すように、袖壁体１９の手前面の下端部及び各壁面材８の下端部に巾木９を固定するようにしてもよい。
【００４０】
上記構造とされた袖壁構造によれば、本実施形態に係る下地枠体１を用いているので、上記同様の効果を奏する。
また、上記のように袖壁体１９を開口部４に配設する態様とすることで、戸枠２を開口部４に固定した後、開口部４の一方側（手前側）から袖壁体１９を容易に施工することができ、施工性を向上させることができる。
さらに、本実施形態では、袖壁体１９の幅方向一端部の背面が戸尻側縦枠２２の壁厚方向手前側端面に当接するように配設する構造としている。従って、袖壁体１９の背面側の石膏ボード１８の一側部が直線状に切断されていないような場合にも、戸尻側縦枠２２によって、その一側部が隠蔽されて露出せず見栄えを阻害することがない。換言すれば、袖壁体１９の背面側の石膏ボード１８の一側部側を、精度良く加工する必要がなく、袖壁の施工性をより向上させることができる。
【００４１】
なお、上記した例では、袖壁下地１０の表裏１０ａ，１０ｂのそれぞれに石膏ボード１７，１８を固定した後に、開口部４に配設する態様を例示しているが、このような態様に限られない。例えば、背面側の石膏ボード１８のみを袖壁下地１０の裏面１０ｂに固定し、開口部４に配設した後に、手前側の石膏ボード１７を固定する態様としてもよい。このような態様によっても上記同様の効果を奏する。または、袖壁下地１０を開口部４に配設した後に、その表裏１０ａ，１０ｂのそれぞれに石膏ボード１７，１８を固定する態様としてもよい。これらの場合には、袖壁下地１０の表面１０ａ側に固定する石膏ボードを、壁面材８によって一連状に構成する態様としてもよい。つまりは、袖壁下地１０に応じた寸法の石膏ボード１７を表面１０ａに固定する態様に代えて、内壁７を形成する壁面材８によって表面１０ａ側の面材を構成するようにしてもよい。
【００４２】
また、上記した例では、袖壁下地１０の高さ寸法と、その表裏１０ａ，１０ｂのそれぞれに固定される石膏ボード１７，１８の高さ寸法を略同寸法とした例を示しているが、このような態様に限られない。例えば、袖壁下地１０の高さを背面側の石膏ボード１８よりも上方に突出するものとし、この石膏ボード１８の上端面が上枠２０の下面に当接するように、石膏ボード１８の高さ寸法を設定するようにしてもよい。
さらに、上記した例では、袖壁下地１０の高さ寸法を開口部４の開口高さに応じた寸法とした例を示しているが、このような態様に限られず、少なくともその上端部が上枠２０の一部に正面視して重合するような高さ寸法とすればよい。この場合は、この袖壁下地１０乃至は袖壁体１９の上端部を上枠２０に対して固定するようにしてもよい。
【００４３】
さらには、袖壁下地１０の高さ寸法を、開口部４の開口高さに応じて予め形成しておく態様に代えて、施工現場において、開口部４の開口高さ等に合わせて切断して高さ寸法を調整するようにしてもよい。この場合は、各枠部材１１，１４の縦枠材１２，１５の長手方向一端部側に余長部分を形成するようにして横桟材を当該余長部分に固定しないようにしてもよい。例えば、両縦枠材１２，１５の上端部側に余長部分を形成し、これら縦枠材１２，１５の余長部分を適宜切断して袖壁下地１０とする態様としてもよい。なお、このような態様は、当該下地枠体１を袖壁下地として用いる場合に限られず、他の間仕切壁等の壁体の下地や、扉体の芯材として用いる場合にも適用可能である。
また、図例では、開口部４の上側に垂れ壁を形成するように開口部４を設けた例を示しているが、床面から天井面に略至る高さ寸法とされた開口部４に袖壁下地１０乃至は袖壁体１９を配設する態様としてもよい。
【００４４】
さらに、上記した例では、袖壁体１９の幅方向の各端面１９ａ，１９ｂを、開口部４の袖壁側枠下地内側面及び中方立２３の袖壁側側面に当接させて、開口部４に固定した例を示しているが、このような態様に限られない。例えば、袖壁体１９の幅方向の一端部の端面を、中方立２３の袖壁側側面に当接させ、幅方向の他端部を、戸尻側縦枠２２に当接させるようにしてもよい。この場合、その他端部の背面側の表面を、戸尻側縦枠２２の手前側端面に当接させるようにしてもよく、その他端部の端面を、戸尻側縦枠２２の内方側（戸先側）側面に当接させるようにしてもよい。
【００４５】
さらにまた、上記では、施工現場において袖壁下地１０の幅調整をした後に、その表裏１０ａ，１０ｂのそれぞれに石膏ボード１７，１８を固定した例について説明したが、このような態様に限られない。例えば、当該袖壁下地１０を戸枠２や引戸３とユニット化し、これらに応じた寸法となるように予め工場等において各石膏ボード１７，１８の寸法を形成しておくようにしてもよい。この場合は、袖壁下地１０の表裏１０ａ，１０ｂの両方または一方に、予め工場等において石膏ボードを固定しておくようにしてもよい。
また、上記した例では、片引きの一枚の引戸３を納める袖壁として袖壁体１９（袖壁下地１０）を開口部４に配設した例を示しているが、このような態様に限られない。複数枚の引戸を納める袖壁として配設されるものとしてもよく、また、両引き（引き分け）の引戸を納める袖壁として、開口部の両側に、本実施形態に係る袖壁体１９（袖壁下地１０）をそれぞれ配設するようにしてもよい。
【００４６】
また、本実施形態では、各枠部材１１，１４に、４本の横桟材１３，１６を設けた例を示しているが、３本以下または５本以上の横桟材１３，１６をそれぞれに設けるようにしてもよい。
さらに、本実施形態では、第１枠部材１１と第２枠部材１４とを同寸同形状とされた同一部材からなるものとした例を示しているが、このような態様に限られない。例えば、各枠部材１１，１４の縦枠材１２，１５や横桟材１３，１６の寸法が互いに異なる寸法とされたものとしてもよく、また、各枠部材１１，１４の横桟材１３，１６の本数が互いに異なる本数とされたものとしてもよい。
さらにまた、本実施形態では、第１枠部材１１の縦枠材１２の下端部に最下段の横桟材１３を設け、第２枠部材１４の縦枠材１５の上端部に最上段の横桟材１６を設けた例を示しているが、このような態様に限られない。例えば、いずれか一方の枠部材の長手方向一端部のみに最上段または最下段の横桟材を設けるようにしてもよく、さらには、両方の長手方向両端部に横桟材を設けずに、各縦枠材の中程の部位にのみ複数本の横桟材を設けるような態様としてもよい。
【００４７】
また、本実施形態では、互いに隣接する第１枠部材１１の横桟材１３と第２枠部材１４の横桟材１６とが上下に当接する構成とした例を示しているが、このような態様に限られない。各枠部材１１，１４の横桟材１３，１６同士の少なくとも一部が上下で重合するように、つまり、平面視において各横桟材１３，１６の少なくとも一部が上下で重なり合うように、隣接する横桟材１３，１６同士の間に隙間が形成される態様としてもよい。このような態様によっても、両縦枠材１２，１５の間には、複数本の横桟材１３，１６が上下に配設されることとなるため、縦枠材１２，１５間の強度を向上させることができる。
【符号の説明】
【００４８】
１          下地枠体
１０        袖壁下地（壁下地、扉芯材）
１１        第１枠部材
１２        縦枠材（一方の縦枠材）
１２ａ      内側面（一側面）
１２ｂ      内側面の下端部
１３        横桟材
１４        第２枠部材
１５        縦枠材（他方の縦枠材）
１５ａ      内側面（一側面）
１５ｂ      内側面の上端部
１６        横桟材
１７，１８  石膏ボード（面材）
Ｗ          袖壁の幅寸法
【図１】
0005830720.tif 000002
【図２】
0005830720.tif 000003
【図３】
0005830720.tif 000004
【図４】
0005830720.tif 000005